(57)【要約】【課題】可視光下での視認性が低い潜像画像を生成することができる画像処理装置及び画像形成装置を提供する。【解決手段】画像形成装置１は、ＣＭＹＫの各色の中間調が描かれた見本画像を形成し、この見本画像を読み取った読取画像を取得する。画像形成装置１は、読取画像に基づいてＫの単色グレーとＣＭＹの混色グレーとが可視光下で等色となるようＣＭＹの濃度を決定する。又は、画像形成装置は、単色グレー及び混合量が異なる複数の混色グレーが描かれた見本画像を形成し、見本画像を目視で確認したユーザから混色グレーの選択を受け付け、この選択に基づいてＣＭＹの濃度を決定する。画像形成装置１は、混色グレーの網点画像中に単色グレーの網点画像を埋め込んだ潜像画像を生成し、これを他の画像に重畳して画像形成する。【選択図】図２
2013223144.tif 000002
【特許請求の範囲】
【請求項１】
赤外線を反射する複数の第１色材を含む混色グレー、及び、赤外線を吸収する第２色材を含む単色グレーを用いて、前記混色グレー及び前記単色グレーによる基本画像中に、前記単色グレーによる特定画像を含む画像を形成するための画像処理を行う画像処理装置であって、
前記混色グレー及び前記単色グレーが、可視光下で略等色となるように、前記混色グレーを構成する複数の各第１色材の濃度を決定する決定手段を備えること
を特徴とする画像処理装置。
【請求項２】
前記第１色材の各色の中間調の画像を画像形成手段に形成させる処理を行う形成処理手段と、
該形成処理手段の処理により前記画像形成手段が形成した媒体を読取手段にて読み取った読取画像を取得する読取画像取得手段と
を備え、
前記決定手段は、前記読取画像取得手段が取得した読取画像に含まれる各色の中間調に基づいて、各第１色材の濃度を決定するようにしてあること
を特徴とする請求項１に記載の画像処理装置。
【請求項３】
前記第１色材の色毎に入力階調及び出力階調が対応付けられたテーブルと、
該テーブルを用いて画像の階調調整を行う調整手段と
を備え、
前記決定手段は、前記読取画像取得手段が取得した読取画像に含まれる各色の中間調に基づいて、前記混色グレーを構成する各第１色材の混合量が所定混合量となるように、前記テーブルを補正するようにしてあること
を特徴とする請求項２に記載の画像処理装置。
【請求項４】
複数の前記第１色材の混合量が異なる複数の前記混色グレーの画像、及び、前記単色グレーの画像を含む画像を画像形成手段に形成させる処理を行う形成処理手段と、
該形成処理手段の処理により前記画像形成手段が形成した媒体を読取手段にて読み取った読取画像を取得する読取画像取得手段と
を備え、
前記決定手段は、前記読取画像取得手段が取得した読取画像に含まれる複数の前記混色グレー及び前記単色グレーに基づいて、各第１色材の濃度を決定するようにしてあること
を特徴とする請求項１に記載の画像処理装置。
【請求項５】
前記第１色材の色毎に入力階調及び出力階調が対応付けられたテーブルと、
該テーブルを用いて画像の階調調整を行う調整手段と
を備え、
前記決定手段は、前記読取画像取得手段が取得した読取画像に含まれる各色の中間調に基づいて、前記単色グレーと略等色となる前記混色グレーの各第１色材の混合量を決定し、前記混色グレーを構成する各第１色材の混合量が決定した混合量となるように、前記テーブルを補正するようにしてあること
を特徴とする請求項４に記載の画像処理装置。
【請求項６】
複数の前記第１色材の混合量が異なる複数の前記混色グレーの画像、及び、前記単色グレーの画像を含む画像を画像形成手段に形成させる処理を行う形成処理手段と、
該形成処理手段の処理により前記画像形成手段が形成した画像に基づく前記混色グレーの中間調の選択を受け付ける選択受付手段と
を備え、
前記決定手段は、前記選択受付手段が受け付けた前記混色グレーの選択に基づいて、各第１色材の濃度を決定するようにしてあること
を特徴とする請求項１に記載の画像処理装置。
【請求項７】
前記第１色材の色毎に入力階調及び出力階調が対応付けられたテーブルと、
該テーブルを用いて画像の階調調整を行う調整手段と
を備え、
前記決定手段は、前記選択受付手段が受け付けた前記混色グレーの選択に基づいて、前記単色グレーと略等色となる前記混色グレーの各第１色材の混合量を決定し、前記混色グレーを構成する各第１色材の混合量が決定した混合量となるように、前記テーブルを補正するようにしてあること
を特徴とする請求項６に記載の画像処理装置。
【請求項８】
前記基本画像中に前記特定画像を含む画像として、前記混色グレー及び前記単色グレーによる網点画像を生成する網点画像生成手段と、
該網点画像生成手段が生成した網点画像を他の画像に重畳する重畳手段と
を備えること
を特徴とする請求項１から請求項７までのいずれか１つに記載の画像処理装置。
【請求項９】
請求項１から請求項８までのいずれか１つに記載の画像処理装置と、
該画像処理装置が生成した画像を媒体上に形成する画像形成手段と
を備えること
を特徴とする画像形成装置。
【発明の詳細な説明】
【技術分野】
【０００１】
本発明は、特定条件の下で視認される潜像画像を生成する画像処理装置及び画像形成装置に関する。
【背景技術】
【０００２】
近年、画像読取及び画像形成により画像の複写を行う画像形成装置の機能が向上し、画像の複写精度が向上しており、書類などの原稿画像を容易且つ高精度に複写することができる。このような高機能の画像形成装置では、例えば複写が禁止されるべき書類などを複写して不正な複写物を容易に作成することができ、原本と見分けがつかない高精度な複写物を得ることができる。そこで、原稿画像の不正な複写を防止するために、複写を禁止すべき原稿画像に対して、複写防止パターン又は透かし文字等を合成する技術が実現されている。
【０００３】
特許文献１においては、基材に本人を特定する情報を可視インキで印刷すると共に、この本人特定情報を符号化した情報を、可視光波長領域では吸収がなく赤外光波長領域のみ吸収する赤外吸収インキで印刷した身分証明証が提案されている。例えば本人特定情報として顔写真画像を印刷し、符号化情報として２次元コードを印刷する。これにより身分証明証の偽造を防止できる。
【０００４】
特許文献２においては、基材上に第１の網点領域及び第２の網点領域が複数配置されて可視画像が形成され、第１の網点領域は赤外吸収特性を含まない色材を用いて構成された領域を有し、第２の網点領域は赤外吸収特性を含む色材を用いて構成された第２ａの網点領域及び赤外吸収特性を含まない色材を用いて構成された第２ｂの網点領域を有し、第２ａの網点領域によって潜像画像が形成された網点印刷物が提案されている。
【先行技術文献】
【特許文献】
【０００５】
【特許文献１】特開２０００−３０９１５４号公報
【特許文献２】特許第４２１４２６２号
【発明の概要】
【発明が解決しようとする課題】
【０００６】
しかしながら特許文献１に記載の技術は、可視光波長領域では吸収がなく赤外光波長領域のみ吸収する赤外吸収インキを用いて符号化情報を印刷する必要があるため、このような赤外吸収インキを扱う特別な画像形成装置が必要である。よってこの技術を一般的な画像形成装置に適用することは難しいという問題がある。
【０００７】
特許文献２に記載の技術は、一般的な画像形成装置にて用いられるＣ（シアン）、Ｍ（マゼンタ）、Ｙ（イエロー）及びＫ（ブラック）の基本４色のインキ（又はトナー）のうち、Ｋインキがカーボンブラックを主体とした黒色顔料で紫外線領域から赤外線領域までの全域に亘る吸収特性を示すのに対し、ＣＭＹインキを重ね合わせたプロセスブラックが赤外線を吸収しないことを利用したものである。第２ａの網点領域をＫインキで構成し、他の領域をＣＭＹインキのプロセスブラックで構成することにより、赤外線カメラなどの特殊な装置で印刷物を観察した場合に、Ｋインキで構成された潜在画像のみを視認することができる。
【０００８】
特許文献２に記載の技術のように、ＣＭＹの少なくとも一つを含む第一の色材と、Ｋの第二の色材との２種の色材を用い、その特性差に基づいて潜像画像を形成する場合、可視光下で潜像画像が視認できないことが求められる。このため、第一の色材の組み合わせを最適化して、第二の色材と等色となるように色制御を行うことが重要である。しかしながら、従来の例えば電子写真方式が採用されたプリンタ、複写機又は複合機等の一般的な画像形成装置では、前述のような色制御が不十分であり、人間が認識できる程度の色差が生じる。このため、赤外線カメラなどの特殊な装置を用いるまでもなく、潜像画像が視認可能となる場合があり、潜像画像としての性能が十分ではないという問題があった。
【０００９】
本発明は、斯かる事情に鑑みてなされたものであって、その目的とするところは、可視光下での視認性が低い潜像画像を生成することができる画像処理装置及び画像形成装置を提供することにある。
【課題を解決するための手段】
【００１０】
本発明に係る画像処理装置は、赤外線を反射する複数の第１色材を含む混色グレー、及び、赤外線を吸収する第２色材を含む単色グレーを用いて、前記混色グレー及び前記単色グレーによる基本画像中に、前記単色グレーによる特定画像を含む画像を形成するための画像処理を行う画像処理装置であって、前記混色グレー及び前記単色グレーが、可視光下で略等色となるように、前記混色グレーを構成する複数の各第１色材の濃度を決定する決定手段を備えることを特徴とする。
【００１１】
また、本発明に係る画像処理装置は、前記第１色材の各色の中間調の画像を画像形成手段に形成させる処理を行う形成処理手段と、該形成処理手段の処理により前記画像形成手段が形成した媒体を読取手段にて読み取った読取画像を取得する読取画像取得手段とを備え、前記決定手段は、前記読取画像取得手段が取得した読取画像に含まれる各色の中間調に基づいて、各第１色材の濃度を決定するようにしてあることを特徴とする。
【００１２】
また、本発明に係る画像処理装置は、前記第１色材の色毎に入力階調及び出力階調が対応付けられたテーブルと、該テーブルを用いて画像の階調調整を行う調整手段とを備え、前記決定手段は、前記読取画像取得手段が取得した読取画像に含まれる各色の中間調に基づいて、前記混色グレーを構成する各第１色材の混合量が所定混合量となるように、前記テーブルを補正するようにしてあることを特徴とする。
【００１３】
また、本発明に係る画像処理装置は、複数の前記第１色材の混合量が異なる複数の前記混色グレーの画像、及び、前記単色グレーの画像を含む画像を画像形成手段に形成させる処理を行う形成処理手段と、該形成処理手段の処理により前記画像形成手段が形成した媒体を読取手段にて読み取った読取画像を取得する読取画像取得手段とを備え、前記決定手段は、前記読取画像取得手段が取得した読取画像に含まれる複数の前記混色グレー及び前記単色グレーに基づいて、各第１色材の濃度を決定するようにしてあることを特徴とする。
【００１４】
また、本発明に係る画像処理装置は、前記第１色材の色毎に入力階調及び出力階調が対応付けられたテーブルと、該テーブルを用いて画像の階調調整を行う調整手段とを備え、前記決定手段は、前記読取画像取得手段が取得した読取画像に含まれる各色の中間調に基づいて、前記単色グレーと略等色となる前記混色グレーの各第１色材の混合量を決定し、前記混色グレーを構成する各第１色材の混合量が決定した混合量となるように、前記テーブルを補正するようにしてあることを特徴とする。
【００１５】
また、本発明に係る画像処理装置は、複数の前記第１色材の混合量が異なる複数の前記混色グレーの画像、及び、前記単色グレーの画像を含む画像を画像形成手段に形成させる処理を行う形成処理手段と、該形成処理手段の処理により前記画像形成手段が形成した画像に基づく前記混色グレーの中間調の選択を受け付ける選択受付手段とを備え、前記決定手段は、前記選択受付手段が受け付けた前記混色グレーの選択に基づいて、各第１色材の濃度を決定するようにしてあることを特徴とする。
【００１６】
また、本発明に係る画像処理装置は、前記第１色材の色毎に入力階調及び出力階調が対応付けられたテーブルと、該テーブルを用いて画像の階調調整を行う調整手段とを備え、前記決定手段は、前記選択受付手段が受け付けた前記混色グレーの選択に基づいて、前記単色グレーと略等色となる前記混色グレーの各第１色材の混合量を決定し、前記混色グレーを構成する各第１色材の混合量が決定した混合量となるように、前記テーブルを補正するようにしてあることを特徴とする。
【００１７】
また、本発明に係る画像処理装置は、前記基本画像中に前記特定画像を含む画像として、前記混色グレー及び前記単色グレーによる網点画像を生成する網点画像生成手段と、該網点画像生成手段が生成した網点画像を他の画像に重畳する重畳手段とを備えることを特徴とする。
【００１８】
また、本発明に係る画像形成装置は、上述の画像処理装置と、該画像処理装置が生成した画像を媒体上に形成する画像形成手段とを備えることを特徴とする。
【００１９】
本発明においては、赤外線を反射する複数の第１色材（例えばＣＭＹの有彩色の色材）を含む混色グレーと、赤外線を吸収する第２色材（例えばＫの無彩色の色材）を含む単色グレーとを用いて、混色グレー及び単色グレーによる基本画像中に、単色グレーによる特定画像を含む画像の形成を行う。また、可視光下で混色グレー及び単色グレーが略等色となるように、混色グレーを構成する第１色材の濃度の決定手段を画像処理装置に設ける。これにより、形成された画像は、可視光下で基本画像が視認され、赤外線環境下で特定画像が視認される。
【００２０】
また、本発明においては、第１色材の各色の中間調が描かれた画像を、プリンタなどの画像形成手段により記録用紙などの媒体に形成し、形成した画像をスキャナなどの読取手段にて読み取る。画像形成手段及び読取手段は、画像処理装置が備えていてもよく、他の装置が備えるものを利用してもよい。また第２色材の単色グレーと略等色なグレーとするための第１色材の各色の混合量は、画像形成手段の特性に応じて定まるため、これを予め測定して記憶しておく。
画像形成のためにテーブルなどを用いて画像の各色の階調を調整する画像処理が行われる。そこで本発明においては、見本の画像を読み取って得られた読取画像に基づいて、予め記憶した所定の混合量となるようにテーブルの補正を行うことによって、混色グレーを構成する各第１色材の濃度決定を行う。
【００２１】
また、本発明においては、複数の第１色材の混合量を変えた混色グレーの中間調と、単色グレーとが描かれた画像を、プリンタなどの画像形成手段により記録用紙などの媒体に形成し、形成した画像をスキャナなどの読取手段にて読み取る。画像形成手段及び読取手段は、画像処理装置が備えていてもよく、他の装置が備えるものを利用してもよい。見本画像の読取により得られた読取画像に基づいて、単色グレーと略等色の混色グレーの中間調を調べることができ、この中間調となる混色グレーにおける第１色材の混合量を調べることにより、単色グレーの階調に対応する第１色材の混合量を決定することができる。
画像形成のためにテーブルなどを用いて画像の各色の階調を調整する画像処理が行われる。そこで本発明においては、見本の画像を読み取って得られた読取画像に基づいて決定した混合量となるようにテーブルの補正を行うことによって、混色グレーを構成する各第１色材の濃度決定を行う。
【００２２】
また、本発明においては、複数の第１色材の混合量を変えた混色グレーの中間調と、単色グレーとが描かれた画像を、プリンタなどの画像形成手段により記録用紙などの媒体に形成する。形成された見本画像をユーザが目視で調べることにより、単色グレーと略等色の混色グレーの中間調を選択することができる。そこでユーザによる混色グレーの中間調の選択を受け付け、この中間調となる混色グレーにおける第１色材の混合量を調べることにより、単色グレーの階調に対応する第１色材の混合量を決定することができる。
画像形成のためにテーブルなどを用いて画像の各色の階調を調整する画像処理が行われる。そこで本発明においては、ユーザの選択に基づいて決定した混合量となるようにテーブルの補正を行うことによって、混色グレーを構成する各第１色材の濃度決定を行う。
【００２３】
また、本発明においては、混色グレー及び単色グレーによる網点画像を生成する。この網点画像は、略等色の混色グレー及び単色グレーによる基本画像中に、単色グレーによる特定画像が埋め込まれた画像である。生成した網点画像と他の画像とを重畳することによって、簡易な方法でセキュリティ用の潜像画像が埋め込まれた画像を生成することができる。
【発明の効果】
【００２４】
本発明による場合は、単色グレー及び混色グレーを略同色とすることができるため、可視光下での視認性が低い潜像画像を埋め込んだ画像を生成することができる。また見本の画像を形成し、形成した画像の読み取り又は形成した画像に基づくユーザの選択受付を行って、混色グレーを構成する各色の濃度を決定する構成とすることにより、濃度の決定を容易に行うことができ、利便性及び汎用性等の高い画像処理装置又は画像形成装置を提供することができる。
【図面の簡単な説明】
【００２５】
【図１】本発明の実施の形態に係る画像形成装置の構成を示す模式図である。
【図２】画像形成装置の構成を示すブロック図である。
【図３】画像形成装置による画像形成処理の手順を示すフローチャートである。
【図４】潜像画像を説明するための模式図である。
【図５】潜像画像を説明するための模式図である。
【図６】潜像画像を説明するための模式図である。
【図７】潜像画像を説明するための模式図である。
【図８】実施の形態１に係る画像形成装置が行う濃度決定処理の手順を示すフローチャートである。
【図９】見本画像の一例を示す模式図である。
【図１０】Ｋ−ＣＭＹ相関テーブルの一例を示す模式図である。
【図１１】実施の形態２に係る画像形成装置が行う濃度決定処理の手順を示すフローチャートである。
【図１２】見本画像の一例を示す模式図である。
【図１３】Ｋ−ＣＭＹ相関テーブルの一例を示す模式図である。
【図１４】実施の形態２の変形例に係る画像形成装置が行う濃度決定処理の手順を示すフローチャートである。
【発明を実施するための形態】
【００２６】
（実施の形態１）
以下、本発明をその実施の形態を示す図面に基づき具体的に説明する。図１は、本発明の実施の形態に係る画像形成装置の構成を示す模式図である。本実施の形態に係る画像形成装置１は、ネットワークを介してＰＣ（Personal Computer）などの外部装置から入力された画像データに応じて、シート（記録用紙）などの所定媒体に対して多色又は単色の画像を形成する装置である。画像形成装置１は、露光ユニット１１、現像器１２ａ〜１２ｄ、感光体ドラム１３ａ〜１３ｄ、クリーナユニット１４ａ〜１４ｄ、帯電器１５ａ〜１５ｄ、中間転写ベルト１７及び定着ユニット２２等を備えて構成されている。
【００２７】
本実施の形態の画像形成装置１は、カラー画像を色分解して得られる減法混色の３原色であるシアン（Ｃ）、マゼンタ（Ｍ）及びイエロー（Ｙ）にブラック（Ｋ）を加えた４色を用いたカラーの画像形成を行うことができる。このため画像形成装置１は、各色に対応する４つずつの現像器１２ａ〜１２ｄ、感光体ドラム１３ａ〜１３ｄ、クリーナユニット１４ａ〜１４ｄ及び帯電器１５ａ〜１５ｄを備え、これらにより色毎に画像を形成する画像ステーションが構成されている。４つの画像ステーションは、中間転写ベルト１７の移動方向（副走査方向）に沿って適長離隔して配置してある。
【００２８】
感光体ドラム１３ａ〜１３ｄは、円筒状をなしており、その軸方向が中間転写ベルト１７の移動方向に交差するように、中間転写ベルト１７の下側に配置されている。帯電器１５ａ〜１５ｄは、感光体ドラム１３ａ〜１３ｄの表面を所定の電位に帯電させるためのものであり、図示の例では接触型のローラ型帯電器が画像形成装置１に搭載されている。ただし接触型のブラシ型帯電器、又は、チャージャー型の帯電器等を用いてもよい。
【００２９】
露光ユニット１１は、レーザ照射部及び反射ミラー等を備えたレーザスキャニングユニットを用いて構成されている。ただし発光素子をアレイ状に並べた例えばＥＬ（Electro Luminescence）又はＬＥＤ（Light Emitting Diode）書込ヘッド等を用いてもよい。露光ユニット１１は、ＣＭＹＫの各色の画像データによって変調されたレーザビームそれぞれを感光体ドラム１３ａ〜１３ｄに照射する。これにより帯電された感光体ドラム１３ａ〜１３ｄには、入力された画像データに応じて露光され、その表面にＣＭＹＫの各色の画像データによる静電潜像が形成される。現像器１２ａ〜１２ｄは、ＣＭＹＫの各色のトナーを収納しており、静電潜像が形成された感光体ドラム１３ａ〜１３ｄの表面にトナーをそれぞれ供給し、静電潜像をトナー像に顕像化する。クリーニングユニット１４ａ〜１４ｄは、現像及びトナー像の転写後に感光体ドラム１３ａ〜１３ｄの表面に残留したトナーを除去するとともに回収する。
【００３０】
また画像形成装置１は、中間転写ローラ１６ａ〜１６ｄ、中間転写ベルト１７、駆動ローラ１７１、従動ローラ１７２、クリーニングユニット１９及び中間転写ベルトテンション機構（図示は省略する）等を備えている。中間転写ローラ１６ａ〜１６ｄ、駆動ローラ１７１、従動ローラ１７２及び中間転写ベルトテンション機構は、中間転写ベルト１７を所定方向（図中の矢印参照）に回転駆動するためのものである。中間転写ベルト１７は、感光体ドラム１３ａ〜１３ｄの上方に配置され、駆動ローラ１１ａと従動ローラ１１ｂとの間に張架されている。中間転写ローラ１６ａ〜１６ｄは、中間転写ベルト１７を挟んで各感光体ドラム１３ａ〜１３ｄに対向する位置に、回転可能に支持されている。中間転写ローラ１６ａ〜１６ｄには、感光体ドラム１３ａ〜１３ｄの表面に担持されたトナー像を中間転写ベルト１７上に転写するために、トナーの帯電極性（−）とは逆極性（＋）の転写バイアスが印加される。中間転写ベルト１７は、各感光体ドラム１３ａ〜１３ｄに接触するように設けられており、感光体ドラム１３ａ〜１３ｄに形成された各色のトナー像を、中間転写ベルト１７の外周面に順次重ねて転写することにより、中間転写ベルト１１の外周面にカラーのトナー像が形成される。中間転写ベルト１７は、厚さが１１００μｍ〜１１５０μｍ程度のフィルムを無端状に形成したものである。
【００３１】
感光体ドラム１３ａ〜１３ｄから中間転写ベルト１７へのトナー像の転写は、中間転写ベルト１１の内周面に接触する中間転写ローラ１６ａ〜１６ｄにより行われる。中間転写ローラ１６ａ〜１６ｄには、トナー像を転写するための高電圧の転写バイアスが印加されている。中間転写ローラ１６ａ〜１６ｄは、直径が１８〜１１０ｍｍ程度の金属製（例えば、ステンレス製）の軸に導電性の弾性材（例えば、ＥＰＤＭ、発泡ウレタン等）を被覆して構成されている。この導電性の弾性材によって、中間転写ベルト１７に均一な高電圧を印加することができる。なお中間転写ローラ１６ａ〜１６ｄに代えて、ブラシ状の中間転写部材を用いることもできる。
【００３２】
各感光体ドラム１３ａ〜１３ｄにて各色に応じて顕像化されて静電像は、中間転写ベルト１７で積層されることにより入力された画像となる。中間転写ベルト１７にて積層された画像は、中間転写ベルト１７の回転によって、転写ローラ２１との対向位置に搬送され、用紙上に転写される。このとき転写ローラ２１は中間転写ベルト１７を所定のニップ圧で圧接すると共に、転写ローラ２１にはトナーを用紙に転写するための電圧（トナーの帯電極性（−）とは逆極性（＋）の高電圧）が印加される。なお、転写ローラ２１と中間転写ベルト１７とのニップ圧を所定値に維持するために、転写ローラ２１又は駆動ローラ１７１のいずれか一方を硬質材料（金属等）で構成し、他方を弾性ローラ等の軟質材料（弾性ゴムローラ又は発泡性樹脂ローラ等）で構成することができる。
【００３３】
感光体ドラム１３ａ〜１３ｄとの接触により中間転写ベルト１７に付着したトナー、又は、転写ローラ２１によって用紙上に転写されず中間転写ベルト１７上に残存したトナーは、次工程での混色を防止するために、クリーニングユニット１９によって除去及び回収される。クリーニングユニット１９は、中間転写ベルト１７に接触するクリーニング部材として例えばクリーニングブレードを有している。クリーニング部材が接触する中間転写ベルト１７は、反対側から従動ローラ１７２で支持されている。
【００３４】
トナー像が転写された用紙は、定着ユニット２２に導かれ、ヒートローラ２４と加圧ローラ２５との間を通過して加熱及び加圧を受ける。これによって、用紙に転写されたトナー像は用紙の表面に定着する。トナー像が定着した用紙は、給紙ローラ２７ｃによって排紙トレイ２９上に排出される。
【００３５】
また画像形成装置１は、給紙トレイ２０、手差トレイ２６、排紙トレイ２９及び用紙搬送路Ｓ等を備えている。給紙トレイ２０は、画像形成に使用する用紙を収納しておくためのトレイであり、画像形成装置１の下部に設けられている。排紙トレイ２９は、画像形成を行った用紙をフェイスダウンで載置するためのトレイであり、画像形成装置１の上部に設けられている。用紙搬送路Ｓは、給紙トレイ２０に収納されている用紙を転写ローラ２１及び定着ユニット２２を経由して排紙トレイ２９へ送るためのものであり、画像形成装置１内を略垂直方向に配置されている。また用紙搬送路Ｓには、転写ローラ２１、定着ユニット２２、レジストローラ２３、搬送ローラ２７ａ〜２７ｈ、ピックアップローラ２８ａ及び２８ｂ等が配置されている。
【００３６】
搬送ローラ２７ａ〜２７ｈは、用紙の搬送を促進及び補助するための小型ローラであり、用紙搬送路Ｓに沿って複数設けられている。ピックアップローラ２８ａは、給紙トレイ２０の端部に設けられ、給紙トレイ２０に収納された用紙を１枚毎に用紙搬送路Ｓへ供給する呼び込みローラである。レジストローラ２３は、用紙搬送路Ｓを搬送される用紙をいったん保持し、中間転写ベルト１７のトナー像の先端と用紙の先端とを合わせるタイミングで、用紙を転写ローラ２１へ搬送する機能を有している。
【００３７】
定着ユニット２２は、ヒートローラ２４及び加圧ローラ２５等を有している。ヒートローラ２４及び加圧ローラ２５は、用紙を挟んで回転するよう構成されている。ヒートローラ２４は、図示しない温度検出器により温度が検出され、後述のプリンタコントローラによって所定の定着温度となるように温度制御がなされている。ヒートローラ２４は、加圧ローラ２５と共に用紙を熱圧着することで、用紙に転写された多色のトナー像を溶融、混合及び圧接し、用紙に対して熱定着させる。
【００３８】
また、画像形成装置１には、予め多数の用紙を収納するための給紙トレイ２０が備えられていると共に、ユーザが少数枚の用紙に画像形成を行う際に給紙トレイ２０の開閉動作を行わなくてもよいように、少数の用紙を載置する手差トレイ２６が備えられている。ピックアップローラ２８ａ又は２８ｂは、給紙トレイ２０又は手差トレイ２６から用紙を１枚ずつ用紙搬送路Ｓへ導く。
【００３９】
用紙の片面のみの画像形成を行う場合、給紙トレイ２０に収納された用紙はピックアップローラ２８ａによって給紙され、搬送ローラ２７ａによってレジストローラ２３まで用紙搬送路Ｓを搬送され、用紙の先端と中間転写ベルト１７上のトナー像の先端とを合わせるタイミングで転写ローラ２１へ搬送され、用紙にトナー像が転写される。その後、用紙は定着ユニット２２を通過することによって未定着のトナーが熱で溶融及び固着され、搬送ローラ２７ｂ及び２７ｃを経て排紙トレイ２９上に排出される。
【００４０】
また手差トレイ２６に載置された用紙はピックアップローラ２８ｂによって給紙され、搬送ローラ２７ｆ、２７ｅ及び２７ｄを経てレジストローラ２３まで用紙搬送路Ｓを搬送される。これ以降は給紙トレイ２０から給紙される用紙と同様の処理がなされ、画像が形成された用紙が排紙トレイ２９に排出される。
【００４１】
用紙の両面に画像形成を行う場合、上記の処理により片面の画像形成が終了して定着ユニット２２を通過した用紙は、後端が搬送ローラ２７ｃにて停止され、搬送ローラ２７ｃが逆回転することによって搬送ローラ２７ｇ、２７ｈが設けられた反転経路に導かれた後、レジストローラ２３を経て裏面の画像形成が行われ、排紙トレイ２９に排出される。
【００４２】
画像形成装置１が用いるＣＭＹＫの４色のトナーは、一般的な処方で製造されるものである。これらのトナーに用いられる色材は、可視光域に吸収・反射特性を持つ有機顔料である。例えばシアン顔料は銅フタロシアニン系の顔料であり、マゼンタ顔料はジメチルキナクリドン系の顔料であり、イエロー顔料はベンズイミダゾロン系の顔料であり、黒顔料はカーボンブラック系の顔料であり、これらはいずれも市販されている一般的な有機材料である。黒顔料は、可視光域のみでなく、赤外線域にも吸収特性を持つ。このため、ＣＭＹＫの４色のトナーを用いて形成された画像は、赤外線下においてＫトナーで形成された部分が視認される。
【００４３】
図２は、画像形成装置１の構成を示すブロック図である。画像形成装置１は、ネットワークを介してＰＣ２などの外部装置から入力された文字、図形又は写真等の画像データをページ記述言語の形式で受信し、受信した画像データを基に画像形成に用いる実行データを生成して画像形成を行うプリンタなどの装置である。ＰＣ２は、スキャナ３が接続され、スキャナ３の読み取り処理によって得られた読取画像を取得すると共に、この読取画像を画像形成装置１へ与えることができる。画像形成装置１は、プリンタコントローラ１００、プリントエンジン１１０及び操作パネル１２０等を備えて構成されている。プリントエンジン１１０及び操作パネル１２０は、プリンタコントローラ１００に接続され、プリンタコントローラ１００との間でデータの授受を行う。またプリンタコントローラ１００には、ネットワークを介してＰＣ２などの外部装置が接続されている。
【００４４】
プリンタコントローラ１００は、ＣＰＵ（Central Processing Unit）１０１、ＲＡＭ（Random Access Memory）１０２、ＨＤＤ（Hard Disk Drive）１０３、ネットワークコントローラ１０４及びビデオコントローラ１０５等を備えて構成されている。ＣＰＵ１０１は、プリンタコントローラ１００内の各部の制御処理を行う。ＲＡＭ１０２は、外部装置から受信した画像データ、この画像データを基に生成された実行データ及び濃度補正情報等の各種の情報を一時的に記憶する。ＨＤＤ１０３は、画像データ、実行データ及びプリントエンジン１１０の特性（例えば濃度、階調又はドット再現等の特性）データ等を格納する。ネットワークコントローラ１０４は、ネットワークを介してＰＣ２などの外部装置との間でデータの送受信を行う。ビデオコントローラ１０５は、プリントエンジン１１０の動作を制御する。
【００４５】
プリントエンジン１１０は、画像形成部１１１、濃度センサ１１２及び温湿度センサ１１３等を備えて構成されている。画像形成部１１１は、用紙に画像を形成する処理を行うものであり、図１に示した各機構の動作を制御する。濃度センサ１１２及び温湿度センサ１１３は、画像形成装置１のキャリブレーションを行う際などに用いられる。操作パネル１２０は、ＨＤＤ１０３に保存された画像を形成する指示など、ユーザの指示に係る操作を受け付けてプリンタコントローラ１００へ通知する。
【００４６】
図３は、画像形成装置１による画像形成処理の手順を示すフローチャートである。ＰＣ２にてユーザが原稿の画像形成指示を行うことによって、ＰＣ２のプリンタドライバなどから画像形成装置１への画像入力がなされる。画像形成装置１は、ネットワークコントローラ１０４にてＰＣ２からの画像データを受信することによって、画像の入力を受け付ける（ステップＳ１）。このときに入力される画像データは、Ｒ（赤）、Ｇ（緑）、Ｂ（青）の３色で表されるデータである。
【００４７】
次いで画像形成装置１は、入力されたＲＧＢの画像データをＣＭＹＫの画像データに変換する色変換処理を行う（ステップＳ２）。色変換処理では、プリンタコントローラ１００のファームウェアに実装したカラーマネージメントモジュールを用いて、ＩＣＣプロファイルのカラーテーブルに基づいた色変換演算がＣＰＵ１０１にて実施される。
【００４８】
次いで画像形成装置１は、色変換処理により得られたＣＭＹＫの画像データに対して、階調補正処理を行う（ステップＳ３）。階調補正処理では、例えば出力の階調再現性を重視した低コントラスト化処理などが、ＨＤＤ１０３に予め記憶された階調補正テーブルを用いて、ＣＰＵ１０１にて実施される。その後、画像形成装置１は、中間調調整処理を行う（ステップＳ４）。中間調調整処理では、プリントエンジン１１０の機差バラツキ、経時変化及び環境変化等による各色の変動を補正し、形成される画像が常に一定の状態を保つために行う処理であり、ＨＤＤ１０３に予め記憶された中間調テーブルを用いて、ＣＰＵ１０１にて実施される。これらの処理は一般的な処理であるため、詳細な処理手順の説明は省略するが、例えば中間調テーブルにＣＭＹＫの各色について入力階調−出力階調の対応を記憶しておき、ステップＳ３の処理後の画像データの階調値を中間テーブルに応じて変換する処理を行うことができる。以上のステップＳ１〜Ｓ４の処理で得られたＣＭＹＫの画像データは、ＲＡＭ１０２に記憶される。
【００４９】
本実施の形態に係る画像形成装置１は、ユーザが作成した原稿などの元画像に対して、潜像画像を埋め込んだ画像を生成し、生成した画像を形成する機能を備えている。潜像画像の詳細は後述するが、潜像画像は原稿などの画像と共にＰＣ２から入力されるか、又は、ＨＤＤ１０３に予め記憶されている。ユーザによって潜像画像の埋め込みが指示された場合、画像形成装置１は、潜像画像についても上記のステップＳ１〜Ｓ４と同様の処理を行う。ただしステップＳ３の階調補正処理にて用いる階調補正テーブル、及び、ステップＳ４の中間調調整処理にて用いる中間調テーブルは、潜像画像用のものを用いてよい。ステップＳ１〜Ｓ４の処理で得られたＣＭＹＫの潜像画像の画像データは、ＲＡＭ１０２に記憶される。
【００５０】
次いで画像形成装置１は、潜像画像の有無を判定し（ステップＳ５）、潜像画像がある場合（Ｓ５：ＹＥＳ）、ＲＡＭ１０２から原稿などの元画像と潜像画像とを読み出して画像の合成処理を行う（ステップＳ６）。画像合成処理では、元画像の指定位置において、元画像の画素と潜像画像の画素との演算処理が行われる。演算処理としては両画素の画素値の乗算を行うことが好適である。画像合成処理を行った後、画像形成装置１は、合成後の画像データをプリントエンジン１１０の画像形成部１１１へ与えることにより画像形成を行い（ステップＳ７）、処理を終了する。また潜像画像がない場合（Ｓ５：ＮＯ）、画像形成装置１は、合成処理を行わずに、ＲＡＭ１０２に記憶されたデータを画像形成部１１１へ与え、画像形成を行い（ステップＳ７）、処理を終了する。
【００５１】
なお上記の説明では、図３に示すフローチャートのステップＳ１〜Ｓ６の処理を画像形成装置１が全て行う構成としたが、これに限るものではない。ステップＳ１〜Ｓ６の処理の一部又は全部をＰＣ２にて予め行い、処理済みの画像データを画像形成装置１へ入力し、画像形成を行う構成としてもよい。
【００５２】
図４〜図７は、潜像画像を説明するための模式図である。各図においては、上側に示した画像の一部を拡大した画像を下側に示してある。本実施の形態に係る画像形成装置１が扱う潜像画像は、図４に示すように、グレーの網点の集合で表された網点画像である。なお、図示の網点の形状、サイズ及び配置等は一例であって、これに限るものではない。図示の例は、縦横のサイズ（画素数）が等しい矩形網点を用いている。網点を構成する各画素はグレー（又は黒）であるが、Ｋ単色のグレー画素と、ＣＭＹ混色のグレー画素とが混在している。黒はグレーに包含されるものとする。
【００５３】
図５は、図４に示した網点画像のうち、Ｋの単色グレー部分を抜き出した画像である。図５に示す画像は、図４に示した画像を赤外線下で視認した場合に得られる画像であり、潜像画像となる。各網点は、一部が単色グレーの画素であってもよく、全部が単色グレーの画素であってもよい。網点に含まれる単色グレーの画素の割合を変化させることによって、面積階調の表現を実現することができる。図５下側に示す例では、画像の色が濃い部分は６つの単色グレー画素による網点で構成され、画像の色が薄い部分は１つの単色グレー画素による網点で構成され、全体として図５上側に示す画像を構成している。単色グレーの網点の形状、サイズ及び配置等も図５に示すものに限らない。
【００５４】
図６は、図４に示した網点画像のうち、ＣＭＹの混色グレー部分を抜き出した画像である。網点を構成する各画素は、可視光下において単色グレーと等色となるように決定された混合量で混色されたＣＭＹで構成されている。図６に示す画像は、図４に示した画像から図５に示した画像を差し引いたものに相当するが、赤外線下では赤外線を反射し、画像を視認することはできない。
【００５５】
図７は、図４に示した網点画像を、ユーザが作成した原稿などの画像に重畳した合成画像であり、図３に示したフローチャートのステップＳ６の処理により得られる画像である。２つの画像の重畳方法はどのような方法であってもよいが、グレーの網点の画素値を保持するためには乗算処理を用いることが好適である。図７に示す合成画像を赤外線下で視認した場合、Ｋの単色グレーのみが視認され図５に示す画像となる（ただし潜像画像を重畳する元の画像（原稿などの画像）は、Ｋの単色グレーが用いられておらず、ＣＭＹによるカラー又はモノクロの画像であるものとする）。
【００５６】
このように本実施の形態に係る画像形成装置１は、原稿などの画像に対して赤外線下でのみ視認できる潜像画像を重畳した画像を生成し、生成した画像を用紙に形成して出力することができる。形成された画像は、可視光下では原稿などの画像として視認され、赤外線下では潜像画像のみが視認される。ただし可視光下にて潜像画像が視認されないためには、Ｋの単色グレーとＣＭＹの混色グレーとが可視光下で等色である必要がある。このため画像形成装置１は、混色グレー及び単色グレーが等色となるように、ＣＭＹの各色の濃度を適切に決定する必要がある。そこで画像形成装置１は、ＣＭＹの各色の濃度を決定する機能を有しており、例えば装置のメンテナンス時又はトナー交換時等に濃度決定を行う。以下、画像形成装置１による混色グレーを構成するＣＭＹの各色の濃度決定処理について説明する。
【００５７】
図８は、実施の形態１に係る画像形成装置１が行う濃度決定処理の手順を示すフローチャートである。画像形成装置１は、混合量を決定するために、ＣＭＹＫの各色についての見本画像を生成し、生成した見本画像の形成を行う（ステップＳ２１）。図９は、見本画像の一例を示す模式図である。見本画像は予め定められた画像であり、例えばＨＤＤ１０３に画像データが記憶されている。見本画像は、ＣＭＹＫの各色について、複数の中間調が描かれた画像であり、そのレイアウト及び階調等が予め定められている。図示の見本画像は、ＣＭＹＫの各色について用紙の水平方向に長い長方形が複数描かれ、各色の階調が水平方向へ徐々に変化するよう各長方形内に色が付されている。各色は、網点面積率を変化させることで中間調が表現されている。なお図示の見本画像は一例であって、これに限るものではない。
【００５８】
ユーザは、見本画像が形成された用紙をスキャナ３にて読み取り、読み取りにより得られた読取画像をＰＣ２からネットワークを介して画像形成装置１へ与える。なお、画像形成装置１がいわゆる複合機のようなスキャナを備える構成である場合には、画像形成装置１が備えるスキャナを用いて見本画像の読み取りを行えばよい。またスキャナ３は読み取りがリニアな特性となるよう予め補正されているものとし、見本画像の各色の階調に応じたＲＧＢ値の読取画像が得られる。画像形成装置１は、このようにして与えられた見本画像の読取画像を取得する（ステップＳ２２）。画像形成装置１は、取得した読取画像をＲＡＭ１０２に記憶する。
【００５９】
次いで画像形成装置１は、Ｋの階調補正処理を行う（ステップＳ２３）。Ｋの階調補正処理では、予め設定されている見本画像のＫの階調と、読み取りにより得られた読取画像のＫの階調とを比較し、適切な入力値−出力値の対応を算出する。画像形成装置１は、例えば見本画像に描かれたＫの中間調の例えば１６点について、入力値−出力値の対応を算出し、残りの点については線形補間などの演算により入力値に対する出力値を算出する。画像形成装置１は、算出したＫの入力値−出力値の対応を中間調テーブルとしてＨＤＤ１０３に記憶し、図３のフローチャートのステップＳ４の中間調調整処理にて用いる。
【００６０】
ＣＭＹの混色グレーとＫの単色グレーとを等色とするためのＣＭＹの各色の濃度はプリントエンジン１１０の出力特性に応じて一義的に決まる。そこでＫの濃度に対するＣＭＹの混合量の対応関係を予め調べ、Ｋ−ＣＭＹ相関テーブルとしてＨＤＤ１０３に記憶しておく。図１０は、Ｋ−ＣＭＹ相関テーブルの一例を示す模式図であり、ＫとＣＭＹの各色との対応をグラフ化して示したものである。画像形成装置１は、ＨＤＤ１０３からＫ−ＣＭＹ相関テーブルを読み出す（ステップＳ２４）。
【００６１】
次いで画像形成装置１は、Ｋ−ＣＭＹ相関テーブル及び読取画像に基づいて、ＣＭＹの階調補正を行う（ステップＳ２５）。ＣＭＹの階調補正では、Ｋ−ＣＭＹ相関テーブルに設定されているＣＭＹの各色の階調と、読取画像のＣＭＹの各色の階調とを比較し、ＣＭＹの各色について適切な入力値−出力値の対応を算出する。例えば画像形成装置１は、Ｋの一階調に対して出力される実際の濃度をステップＳ２３で作成した中間調テーブルから取得することができ、このＫの濃度に対応するＣＭＹの各色の濃度をＫ−ＣＭＹ相関テーブルから取得することができるため、このようにして取得される濃度が実際の出力となるよう読取画像に基づいてＣＭＹの各色についての入力値−出力値の対応を算出すればよい。画像形成装置１は、例えばＣＭＹの中間調の例えば各１６点について、入力値−出力値の対応を算出し、残りの点については線形補間などの演算により入力値に対する出力値を算出する。画像形成装置１は、算出したＣＭＹの各色の入力値−出力値の対応をそれぞれ中間調テーブルとしてＨＤＤ１０３に記憶し、図３のフローチャートのステップＳ４の中間調調整処理にて用いる。
【００６２】
これらの処理によって、Ｋの単色グレーに対する混色グレーのＣＭＹの各色の濃度が適切に決定され、得られた中間調テーブルを用いて潜在画像に対する中間調調整処理を行うことによって、Ｋの単色グレーとＣＭＹの混色グレーとが等色となるようにＣＭＹの濃度が適切に制御される。
【００６３】
以上の構成の画像形成装置１は、ＣＭＹＫの各色の中間調が描かれた見本画像を形成し、この見本画像を読み取った読取画像を基に、Ｋの単色グレーとＣＭＹの混色グレーとが可視光下で等色となるようＣＭＹの濃度を決定する構成とすることにより、プリントエンジン１１０の特性に応じた適切な濃度を決定することができる。これにより、可視光下で視認されることのない潜像画像を含む画像の形成を行うことができる。
【００６４】
なお、本実施の形態においては、画像形成装置１がスキャナを備えない構成としたが、これに限るものではなく、スキャナを備える構成であってよい。また画像形成装置１が色材としてトナーを使用する構成としたが、これに限るものではなく、インクなどのその他の色材を使用して画像形成を行う画像形成装置であってよい。また図８に示した濃度決定処理を画像形成装置１が行う構成としたが、これに限るものではなく、ＰＣ２などの他の装置にてこの処理を行い、処理結果を画像形成装置１へ与える構成であってよい。
【００６５】
（実施の形態２）
上述の実施の形態１に係る画像形成装置１は、見本画像をスキャナ３にて読み取った読取画像に基づいて、ＣＭＹの濃度を自動的に決定する構成である。これに対して実施の形態２に係る画像形成装置１は、見本画像をユーザが目視にて確認し、その結果を画像形成装置１へ入力することによってＣＭＹの濃度を決定する構成である。
【００６６】
図１１は、実施の形態２に係る画像形成装置１が行う濃度決定処理の手順を示すフローチャートである。画像形成装置１は、濃度を決定するために、Ｋの単色グレーとＣＭＹの混色グレーとが描かれた見本画像を生成し、生成した見本画像の形成を行う（ステップＳ３１）。図１２は、見本画像の一例を示す模式図である。見本画像は予め定められた画像であり、例えばＨＤＤ１０３に画像データが記憶されている。見本画像は、Ｋの単色グレーの１つの階調と、混合量を変化させた複数のＣＭＹの混色グレーとが描かれた画像であり、そのレイアウト及び階調（濃度）等が予め定められている。Ｋの単色グレーは網点面積率を変えることで階調を表現したものであり、ＣＭＹの混色グレーは各色の網点面積率を変えて重ねることにより混合量を変化させて階調を表現したものである。
【００６７】
図示の見本画像は、Ｋ＝７０％の単色グレーに対して、１２５通りの中間調の混色グレーが描かれている。混色グレーは、単色グレーに近い色となるＣＭＹの混合量を予め算出しておき、算出した混合量を基準に各色の濃度を増減したものである。図示の例では、Ｋ＝７０％の単色グレーに近い混色グレーは、Ｃ＝７７％、Ｍ＝６８％、Ｙ＝６３％で混合した場合であった。そこでこれらの濃度を基準とし、基準濃度とこの濃度に対する−４％、−２％、＋２％、＋４％の濃度との５通りを各色について考慮し、５×５×５＝１２５通りの混合量の組み合わせを生成したものである。なお図示の見本画像はＫ＝７０％の単色グレーに関するものであるが、同様にしてＫ＝８０％、９０％、１００％等のように異なる条件での見本画像を複数生成する（図示は省略する）。ただし図示の見本画像は一例であってこれに限るものではない。
【００６８】
画像形成装置１のユーザは、用紙に形成された見本画像を目視にて確認し、見本画像中に描かれた１つの単色グレーに対して濃度及び色目等が最も近い混色グレーを選択し、操作パネル１２０にて選択した混色グレーの濃度を入力する。なおユーザは、複数の見本画像について混色グレーの選択を行う。画像形成装置１は、見本画像に基づくユーザの選択を操作パネル１２０にて受け付ける（ステップＳ３２）。
【００６９】
次いで画像形成装置１は、受け付けたユーザの選択に基づいて、Ｋ−ＣＭＹ相関テーブルを生成する（ステップＳ３３）。図１３は、Ｋ−ＣＭＹ相関テーブルの一例を示す模式図であり、ＫとＣＭＹの各色との対応をグラフ化して示したものである。本例では、Ｋ＝７０％、８０％、９０％、１００％の４条件について見本画像の生成及び選択の受け付けを行った場合であり、これら４条件以外について画像形成装置１は線形補間などの処理を行って補間する。
【００７０】
その後、画像形成装置１は、Ｋ−ＣＭＹ相関テーブルに基づいてＣＭＹの階調補正を行う（ステップＳ３４）。ＣＭＹの階調補正では、Ｋ−ＣＭＹ相関テーブルの対応関係となるように、Ｋの濃度に対するＣＭＹの各色の濃度を決定し、決定した濃度となるように中間調テーブルの入力値−出力値の対応関係を補正する。画像形成装置１は、補正した中間調テーブルをＨＤＤ１０３に記憶し、以後の中間調調整処理にて用いる。
【００７１】
これらの処理によってＣＭＹの濃度が適切に設定され、得られた中間調テーブルを用いて潜在画像に対する中間調調整処理を行うことによって、Ｋの単色グレーとＣＭＹの混色グレーとが等色となるようにＣＭＹの濃度が適切に制御される。
【００７２】
以上の構成の実施の形態２に係る画像形成装置１は、見本画像をユーザが目視で確認し、単色グレーに近い混色グレーを選択する構成であるため、スキャナ３を備えない又はスキャナ３を利用できない場合であっても、混色グレーのＣＭＹ各色の濃度を決定することができる。
【００７３】
（変形例）
上述の実施の形態２に係る画像形成装置１は、図１２に示した見本画像をユーザが目視で確認する構成であるが、これに限るものではなく、この見本画像をスキャナ３にて読みとって、読取画像に基づいて混色グレーの混合量を画像形成装置１が決定する構成であってもよい。図１４は、実施の形態２の変形例に係る画像形成装置１が行う濃度決定処理の手順を示すフローチャートである。変形例に係る画像形成装置１は、濃度を決定するために、単色グレーと複数の混色グレーとが描かれた見本画像（図１２参照）を生成し、生成した見本画像の形成を行う（ステップＳ４１）。
【００７４】
ユーザは、見本画像が形成された用紙をスキャナ３にて読み取り、読み取りにより得られた読取画像をＰＣ２からネットワークを介して画像形成装置１へ与える。画像形成装置１は、このようにして与えられた見本画像の読取画像を取得する（ステップＳ４２）。次いで画像形成装置は、取得した読取画像に基づいて、Ｋの単色グレーに近い混色グレーを選択し（ステップＳ４３）、選択した混色グレーのＣＭＹの混合量に基づいてＫ−ＣＭＹ相関テーブルを生成する（ステップＳ４４）。その後、画像形成装置１は、Ｋ−ＣＭＹ相関テーブルに基づいてＣＭＹの階調補正を行う（ステップＳ４５）。
【００７５】
このように見本画像をユーザが目視で確認するのではなく、スキャナ３にて読み込む構成であってもよく、画像形成装置１がスキャナを搭載している場合には、変形例の構成が好適である。
【００７６】
なお、実施の形態２に係る画像形成装置１のその他の構成は、実施の形態１に係る画像形成装置１の構成と同様であるため、同様の箇所には同じ符号を付して詳細な説明を省略する。
【００７７】
また上述の実施の形態１、２では、各色の階調が８ビットなどで表されるカラー画像又はグレースケール画像等を画像形成装置１が扱うことを想定し、見本画像及びＫ−ＣＭＹ相関テーブル等の構成並びにこれらを用いた処理の手順等を説明した。しかし、階調が１ビットで表される２値画像（白黒画像）を扱う構成であってもよく、この場合には各色について最大濃度点についてのみＫ−ＣＭＹ相関テーブルの生成及び中間調テーブルの補正等の処理を行えばよい。また見本画像の形成は、網点画像をディザ処理したものが望ましく、更には見本画像の網点が図４などに示した網点と同じ形状であることが望ましい。
【符号の説明】
【００７８】
１  画像形成装置
２  ＰＣ
３  スキャナ（読取手段）
１１  露光ユニット
１２ａ〜１２ｄ  現像器
１３ａ〜１３ｄ  感光体ドラム
１４ａ〜１４ｄ  クリーナユニット
１５ａ〜１５ｄ  帯電器
１６ａ〜１６ｄ  中間転写ローラ
１７  中間転写ベルト
２０  給紙トレイ
２１  転写ローラ
２２  定着ユニット
２３  レジストローラ
２４  ヒートローラ
２５  加圧ローラ
２７ａ〜２７ｈ  搬送ローラ
２８ａ、２８ｂ  ピックアップローラ
２９  排紙トレイ
１００  プリンタコントローラ（画像処理装置）
１０１  ＣＰＵ（決定手段、形成処理手段、調整手段、網点画像生成手段、重畳手段）
１０２  ＲＡＭ
１０３  ＨＤＤ
１０４  ネットワークコントローラ（読取画像取得手段）
１０５  ビデオコントローラ
１１０  プリントエンジン
１１１  画像形成部（画像形成手段）
１１２  濃度センサ
１１３  温湿度センサ
１２０  操作パネル（選択受付手段）
【図１】
2013223144.tif 000003
【図２】
2013223144.tif 000004
【図３】
2013223144.tif 000005
【図８】
2013223144.tif 000006
【図１０】
2013223144.tif 000007
【図１１】
2013223144.tif 000008
【図１３】
2013223144.tif 000009
【図１４】
2013223144.tif 000010
【図４】
2013223144.tif 000011
【図５】
2013223144.tif 000012
【図６】
2013223144.tif 000013
【図７】
2013223144.tif 000014
【図９】
2013223144.tif 000015
【図１２】
2013223144.tif 000016